(57)【特許請求の範囲】
【請求項１】
支持台と係合する係合部を有するフロアパネルと、
前記フロアパネルと係合する係合部を有する支持台とを備え、
前記フロアパネルの係合部、及び／又は前記支持台の係合部は、前記フロアパネルの係合部と前記支持台の係合部が互いに係合すると共に、係合が外れるように可動式に形成され、
前記支持台の係合部と前記フロアパネルの係合部との係合が外れた際に、前記フロアパネルを前記支持台に対して上方に持ち上げる付勢手段を備えた
ことを特徴とするフリーアクセスフロア。
【請求項２】
前記フロアパネルは、板状の天板部と、前記天板部の四辺それぞれから略床下方向に折曲げられて形成された複数の側板部を有し、
前記支持台は、その上面側に上方に突出する複数の突出部を有し、
前記フロアパネルの前記側板部は、前記支持台の前記複数の突出部により形成された溝部に、前記突出部を弾性変形させることにより嵌入され、
前記フロアパネルの前記側板部に形成された係合部と、前記支持台の前記突出部に形成された係合部が互いに係合するようにそれぞれ形成された
ことを特徴とする請求項１に記載のフリーアクセスフロア。
【請求項３】
前記フロアパネルの前記側板部に形成された凸部と、前記前記支持台の前記突出部に形成された凹部が互いに係合する
ことを特徴とする請求項２に記載のフリーアクセスフロア。
【請求項４】
前記フロアパネルの前記側板部に形成された凸部と、前記前記支持台の前記突出部に形成された貫通孔が互いに係合する
ことを特徴とする請求項２に記載のフリーアクセスフロア。
【請求項５】
前記フロアパネルの前記側板部に形成された板厚方向に貫通する貫通孔と、前記支持台の前記突出部に形成された凸部が互いに係合する
ことを特徴とする請求項２に記載のフリーアクセスフロア。
【請求項６】
前記フロアパネルの前記側板部に形成された凹部と、前記支持台の前記突出部に形成された凸部が互いに係合する
ことを特徴とする請求項２に記載のフリーアクセスフロア。
【請求項７】
前記フロアパネルの天板部の隅部には、板厚方向に貫通する貫通孔が形成され、
前記天板部の前記貫通孔は、前記支持台の係合部が形成された前記支持台の前記突出部に対して前記支持台の係合部と前記フロアパネルの係合部の係合が外れるように、前記フロアパネルの上面側から前記貫通孔を通して力を加えることができる位置に形成された
ことを特徴とする請求項２から６のいずれかに記載のフリーアクセスフロア。
【請求項８】
前記フロアパネルは、その板厚方向に貫通する貫通孔と、前記貫通孔の縁部から下面側に突出する係合部が形成された板状の天板部を有し、
前記支持台は、その上面側に上方に突出する係合部を有し、
前記支持台の係合部は、弾性変形により移動することにより、前記フロアパネルの前記天板部の貫通孔に挿入して、前記天板部の係合部に係合できるように形成された
ことを特徴とする請求項１に記載のフリーアクセスフロア。
【発明の詳細な説明】
【技術分野】
【０００１】
本発明は、オフィスルーム等の部屋の床部に敷設されるフリーアクセスフロアに関するものである。
【背景技術】
【０００２】
本発明のフリーアクセスフロアは、コンクリート基礎床面の上方に、その床面から空間を隔てて第２の床面を形成するために設けられるものである（例えば、特許文献１参照）。
【０００３】
図８３から図９１は、従来のフリーアクセスフロア２について説明するために参照する図である。
【０００４】
図８３は、オフィスルーム等の部屋の床部に敷設された従来のフリーアクセスフロア２の平面図である。この従来のフリーアクセスフロア２の敷設作業の途中段階において、図８４に示すように、工場等において予め形成された複数のパネルユニット４を、互いに間隔を空けて基礎床面６上に配置する作業が行なわれていた。パネルユニット４は、２枚のフロアパネル８と、図８５，８６に示すような支持台ユニット１０とを備えて構成されていた。
【０００５】
支持台ユニット１０は、水平面上の縦方向及び横方向に３行３列に並んで配置された９つの支持台１２（図８５参照）と、支持台１２のそれぞれを支持する９つの支持部１４（図８６参照）と、互いに隣合う支持部１４同士を一定の間隔を置いて連結する連結部１６を備えて構成されていた。
【０００６】
支持台１２は、図８６に示すように、その下端部が支持部１４に形成された凹部に上方から嵌入されていた。また、支持台１２のそれぞれは、図８５中上下左右に隣合う別の支持台１２との互いの中心部間の間隔が、略長方形の上面を有するフロアパネル８の短辺Ｌ１（図８８参照）の長さ寸法とほぼ同じ長さになるように、互いに離れて配置されていた。
【０００７】
支持台１２は、図８７にその上面図を示すように、その上端面１２ａから同図中紙面奥側に深さを有するように開口して、後述するフロアパネル８の側板部８ｃ（図８８参照）に係合可能な４本の溝部１２ｂが井桁状に形成されていた。
【０００８】
すなわち、支持台１２に形成された４本の溝部１２ｂの内の２本の溝部１２ｂは、図８７中上下方向に互いに略平行に伸びるように配置され、他の２本の溝部１２ｂは、同図中左右方向に互いに略平行に伸びるように配置されていた。
【０００９】
そして、上記上下方向に伸びる２本の溝部１２ｂと、上記左右方向に伸びる２本の溝部１２ｂは、支持台１２の上端面１２ａの略中央部付近において直交していた。
【００１０】
図８８に示すように、フロアパネル８は、１枚の金属製の板状部材をプレス加工することにより形成されており、略長方形の上面８ａを有する板状に形成された天板部８ｂと、この天板部８ｂの周部四辺より略垂直下方に折曲げられて形成された４つの側板部８ｃ（図８９，９０参照）を備えて構成されていた。そして、１枚のフロアパネル８が６個の支持台１２上に載置されるようになっていた（図８４参照）。
【００１１】
このような従来のフロアパネル８は、図９１に示すように、その側板部８ｃが支持台１２の溝部１２ｂに図中上方から嵌入して、天板部８ｂの上面８ａの裏面が支持台１２の上端面１２ａに接触することにより、基礎床面６上の所定の高さ位置に着脱自在に支持されていた。
【００１２】
図８８に示すフロアパネル８の四隅においては、長さ方向が互いに直交するように形成された２つの側板部８ｃの端部が、図８７における支持台１２の上端面１２ａの上下方向に伸びる１本の溝部１２ｂと、その溝部１２ｂに隣合うと共に、図８７中左右方向に伸びる１本の溝部１２ｂにより形成されたＬ字状の溝部１２ｂ内に嵌入していた（図８４参照）。
【００１３】
また、フロアパネル８の長辺Ｌ２（図８８参照）の中央部においては、フロアパネル８の側板部８ｃが、その側板部８ｃの長さ方向に対して平行に形成された支持台１２の１本の溝部１２ｂ内（図８７中上下又は左右方向に伸びる１本の溝部１２ｂ内）に嵌入していた（図８４参照）。
【００１４】
そして、図８４に示すように、フロアパネル８は、９つの支持台１２上に、互いの天板部８ｂの隅部を突き合わせるようにして２枚並べて載置されていた。
【００１５】
また、図８３に示すように、パネルユニット４の外周側における、フロアパネル８より水平方向外側に突出している支持台１２の上端面１２ａ上には、互いに間隔を置いて配置された複数のパネルユニット４の間を埋めるように別のフロアパネル８、及び略正方形の上面を有するフロアパネル９が載置されていた。
【００１６】
このため、フリーアクセスフロア２の敷設作業が完了すると、フロアパネル８，９が図８３中上下方向及び左右方向に隙間無く並んで配置されて、基礎床面６の上方に空間を隔てて第２の床面を形成するようになっていた。そして、フロアパネル８の天板部８ａと基礎床面６との間の空間に配線等のケーブルを配置することができるようになっていた。
【００１７】
また、前記従来のフリーアクセスフロア２においては、例えばパネルユニット４を工場から敷設する部屋まで持ち運んでいる途中や、基礎床面６に不陸面が形成されていた場合に、フロアパネル８と支持台１２が容易に分離することがないように、フロアパネル８の側板部８ｃが支持台１２の溝部１２ｂに固く嵌入していた。
【先行技術文献】
【特許文献】
【００１８】
【特許文献１】特許第２７７８５３８号公報
【発明の概要】
【発明が解決しようとする課題】
【００１９】
しかしながら、前記従来のフリーアクセスフロア２においては、前述のようにフロアパネル８の側板部８ｃが支持台１２の溝部１２ｂに固く嵌入するように構成されていたため、床下配線のメンテナンス等の際に、支持台１２からフロアパネル８を取り外しづらいという問題があった。
【００２０】
また、前記従来のフリーアクセスフロア２においては、前述のようにフロアパネル８の側板部８ｃが支持台１２の溝部１２ｂに固く嵌入するように構成されていたため、フリーアクセスフロア２の施工時において、フロアパネル８の側板部８ｃを支持台１２の溝部１２ｂに嵌入しづらいという問題があった。
【００２１】
そのため、フロアパネル８の側板部８ｃを支持台１２の溝部１２ｂに嵌入させるために、フロアパネル８の側板部８ｃを支持台１２の溝部１２ｂに叩き入れていたが、叩き入れることによりフロアパネル８及び支持台１２が破損してしまうという問題があった。
【００２２】
そこで本発明は、上記問題点に鑑みて、フロアパネルと支持台との着脱を容易にして、その構成部材が破損しないようにしたフリーアクセスフロアを提供することを課題とするものである。
【課題を解決するための手段】
【００２３】
上記課題を解決するために、本発明によるフリーアクセスフロアは、
支持台と係合する係合部を有するフロアパネルと、
前記フロアパネルと係合する係合部を有する支持台とを備え、
前記フロアパネルの係合部、及び／又は前記支持台の係合部は、前記フロアパネルの係合部と前記支持台の係合部が互いに係合すると共に、係合が外れるように可動式に形成され、
前記支持台の係合部と前記フロアパネルの係合部との係合が外れた際に、前記フロアパネルを前記支持台に対して上方に持ち上げる付勢手段を備えたことを特徴とするものである。
【００２４】
また、本発明によるフリーアクセスフロアは、
前記フロアパネルは、板状の天板部と、前記天板部の四辺それぞれから略床下方向に折曲げられて形成された複数の側板部を有し、
前記支持台は、その上面側に上方に突出する複数の突出部を有し、
前記フロアパネルの前記側板部は、前記支持台の前記複数の突出部により形成された溝部に、前記突出部を弾性変形させることにより嵌入され、
前記フロアパネルの前記側板部に形成された係合部と、前記支持台の前記突出部に形成された係合部が互いに係合するようにそれぞれ形成されたことを特徴とするものである。
【００２５】
また、本発明によるフリーアクセスフロアは、
前記フロアパネルの前記側板部に形成された凸部と、前記前記支持台の前記突出部に形成された凹部が互いに係合することを特徴とするものである。
【００２６】
また、本発明によるフリーアクセスフロアは、
前記フロアパネルの前記側板部に形成された凸部と、前記前記支持台の前記突出部に形成された貫通孔が互いに係合することを特徴とするものである。
【００２７】
また、本発明によるフリーアクセスフロアは、
前記フロアパネルの前記側板部に形成された板厚方向に貫通する貫通孔と、前記支持台の前記突出部に形成された凸部が互いに係合することを特徴とするものである。
【００２８】
また、本発明によるフリーアクセスフロアは、
前記フロアパネルの前記側板部に形成された凹部と、前記支持台の前記突出部に形成された凸部が互いに係合することを特徴とするものである。
【００２９】
また、本発明によるフリーアクセスフロアは、
前記フロアパネルの天板部の隅部には、板厚方向に貫通する貫通孔が形成され、
前記天板部の前記貫通孔は、前記支持台の係合部が形成された前記支持台の前記突出部に対して前記支持台の係合部と前記フロアパネルの係合部の係合が外れるように、前記フロアパネルの上面側から前記貫通孔を通して力を加えることができる位置に形成されたことを特徴とするものである。
【００３０】
また、本発明によるフリーアクセスフロアは、
前記フロアパネルは、その板厚方向に貫通する貫通孔と、前記貫通孔の縁部から下面側に突出する係合部が形成された板状の天板部を有し、
前記支持台は、その上面側に上方に突出する係合部を有し、
前記支持台の係合部は、弾性変形により移動することにより、前記フロアパネルの前記天板部の貫通孔に挿入して、前記天板部の係合部に係合できるように形成されたことを特徴とするものである。
【発明の効果】
【００３２】
このような本発明のフリーアクセスフロアによれば、
支持台と係合する係合部を有するフロアパネルと、
前記フロアパネルと係合する係合部を有する支持台とを備え、
前記フロアパネルの係合部、及び／又は前記支持台の係合部は、前記フロアパネルの係合部と前記支持台の係合部が互いに係合すると共に、係合が外れるように可動式に形成され、
前記支持台の係合部と前記フロアパネルの係合部との係合が外れた際に、前記フロアパネルを前記支持台に対して上方に持ち上げる付勢手段を備えたことにより、
フロアパネルと支持台との着脱を容易にして、その構成部材が破損しないようにすることができる。
【図面の簡単な説明】
【００３３】
【図１】本発明の第１の実施の形態に係るフリーアクセスフロア２０における、フロアパネル２８の側板部２８ｃが支持台２２に嵌入している部分を拡大して示す斜視図である。
【図２】図１に示すフロアパネル２８の上面側からの斜視図である。
【図３】図２に示すフロアパネル２８の下面側からの斜視図である。
【図４】図２に示すフロアパネル２８，４８の上面図である。
【図５】図４に示すフロアパネル２８のＡ−Ａ線矢視断面図である。
【図６】図４に示すフロアパネル２８のＢ−Ｂ線矢視断面図である。
【図７】図４に示すフロアパネル２８のＣ−Ｃ線矢視断面図である。
【図８】図１に示す支持台２２の斜視図である。
【図９】図８に示す支持台２２を均等に四分割した内の１つを示す斜視図である。
【図１０】図８に示す支持台２２の上面図である。
【図１１】図８に示す支持台２２の側面図である。
【図１２】図１０に示す支持台２２のＤ−Ｄ線矢視断面図である。
【図１３】図１０に示す支持台２２のＥ−Ｅ線矢視断面図である。
【図１４】図１０に示す支持台２２のＦ−Ｆ線矢視断面図である。
【図１５】図１１に示す支持台２２のＧ−Ｇ線矢視断面図である。
【図１６】図１のフリーアクセスフロア２０の上面図である。
【図１７】図１のフリーアクセスフロア２０の側面図である。
【図１８】図１６に示すフリーアクセスフロア２０のＨ−Ｈ線矢視断面図である。
【図１９】図１８に示すフリーアクセスフロア２０のフロアパネル２８の凸部２８ｅと、突出部２４の凹部２４ｄが係合する部分を拡大して示す部分拡大図である。
【図２０】図１６に示すフリーアクセスフロア２０のＩ−Ｉ線矢視断面図である。
【図２１】図１７に示すフリーアクセスフロア２０のＪ−Ｊ線矢視断面図である。
【図２２】図２０に示すフリーアクセスフロア２０において、フロアパネル２８を支持台２２から取り外すために、支持台２２の押当部２４ｃを棒状部材３０で押している状態を示す部分拡大図である。
【図２３】図１９に示すフリーアクセスフロア２０において、フロアパネル２８を支持台２２から取り外す際に、突出部２４を弾性変形させて突出部２４と突出部２５との間の溝部２２ｂの間隔が広がった状態を示す図である。
【図２４】図１７に示すフリーアクセスフロア２０において、フロアパネル２８を支持台２２から取り外した際に、中央支持部２３の弾性力によりフロアパネル２８が上方に自動的に持ち上がった状態を示す図である。
【図２５】本発明の第２の実施の形態に係るフリーアクセスフロア４０におけるフロアパネル４８の斜視図である。
【図２６】図４に示すフロアパネル４８のＢ−Ｂ線矢視断面図である。
【図２７】本発明の第２の実施の形態に係るフリーアクセスフロア４０における支持台４２を均等に四分割した内の１つを示す斜視図である。
【図２８】図２７に示す支持台４２（四分割した内の１つではなく全体）の上面図である。
【図２９】図２８に示す支持台４２のＫ−Ｋ線矢視断面図である。
【図３０】本発明の第２の実施の形態に係るフリーアクセスフロア４０における、フロアパネル４８の側板部４８ｃが支持台４２に嵌入している部分を拡大して示す上面図である。
【図３１】図３０に示すフリーアクセスフロア４０のＬ−Ｌ線矢視断面図である。
【図３２】図３１に示すフリーアクセスフロア４０のフロアパネル４８の貫通孔４８ｇと、突出部４４の凸部４４ｅが係合する部分を拡大して示す部分拡大図である。
【図３３】図３２に示すフリーアクセスフロア４０において、フロアパネル４８を支持台４２から取り外す際に、突出部４４を弾性変形させて突出部４４と突出部４５との間の溝部４２ｂの間隔が広がった状態を示す図である。
【図３４】本発明の第３の実施の形態に係るフリーアクセスフロア６０において、支持台６２にフロアパネル２８の側板部２８ｃが嵌入する直前の状態を示す側面図である。
【図３５】図３４に示す支持台６２にフロアパネル２８の側板部２８ｃが嵌入し、弾性部材６８が押圧されて弾性変形している状態を示す図である。
【図３６】本発明の第４の実施の形態に係るフリーアクセスフロア８０において、支持台８２からフロアパネル２８を取り外した際に、中央支持部８３の弾性力によりフロアパネル２８が上方に持ち上がった状態を示す垂直断面図（フリーアクセスフロア２０における図２０に相当する断面図）である。
【図３７】本発明の第５の実施の形態に係るフリーアクセスフロアにおける支持台１０２を均等に四分割した内の１つを示す斜視図である。
【図３８】本発明の第６の実施の形態に係るフリーアクセスフロア１１０における、フロアパネル１１８の側板部１１８ｃが支持台１１２に嵌入している部分を示す斜視図である。
【図３９】図３８に示すフロアパネル１１８の斜視図である。
【図４０】図３９に示すフロアパネル１１８の上面図である。
【図４１】図３９に示すフロアパネル１１８の側面図である。
【図４２】図４０に示すフロアパネル１１８のＭ−Ｍ線矢視断面図である。
【図４３】図４０に示すフロアパネル１１８のＮ−Ｎ線矢視断面図である。
【図４４】図３８に示す支持台１１２の斜視図である。
【図４５】図４４に示す支持台１１２の上面図である。
【図４６】図４４に示す支持台１１２の側面図である。
【図４７】図４５に示す支持台１１２のＯ−Ｏ線矢視断面図である。
【図４８】図４７の支持台１１２の左側部分を拡大して示す部分拡大図である。
【図４９】図４７の支持台１１２の係合部１１７ａが弾性変形して、支持台１３２の中央側に傾いた状態を示す図である。
【図５０】図４７の支持台１１２の押上部１１９が弾性変形して、凸部１１９ａが下方に移動した状態を示す図である。
【図５１】図３８のフリーアクセスフロア１１０の上面図である。
【図５２】図５１に示すフリーアクセスフロア１１０のＰ−Ｐ線矢視断面図である。
【図５３】フロアパネル１１８と支持台１１２が係合する直前の状態を説明するための図である。
【図５４】フロアパネル１１８が押上部１１９の弾性力により持ち上げられた状態を示す図である。
【図５５】本発明の第７の実施の形態に係るフリーアクセスフロア１３０における、フロアパネル１３８の側板部１３８ｃが支持台１３２に嵌入している部分を示す斜視図である。
【図５６】図５５に示すフロアパネル１３８の斜視図である。
【図５７】図５６に示すフロアパネル１３８の上面図である。
【図５８】図５７に示すフロアパネル１３８のＱ−Ｑ線矢視断面図である。
【図５９】図５７に示すフロアパネル１３８のＲ−Ｒ線矢視断面図である。
【図６０】図５５に示す支持台１３２の斜視図である。
【図６１】図６０に示す支持台１３２の上面図である。
【図６２】図６１に示す支持台１３２の左下部分を拡大して示す部分拡大図である。
【図６３】図６０に示す支持台１３２の側面図である。
【図６４】図６１に示す支持台１３２のＳ−Ｓ線矢視断面図である。
【図６５】図６４に示す支持台１３２の左側部分を拡大して示す部分拡大図である。
【図６６】図６５に示す支持台１３２の可動部１３７を弾性変形させた状態を示す図である。
【図６７】図６１に示す支持台１３２のＴ−Ｔ線矢視断面図である。
【図６８】図６７に示す支持台１３２の左上部分を拡大して示す部分拡大図である。
【図６９】図５５のフリーアクセスフロア１３０の上面図である。
【図７０】図６９に示すフリーアクセスフロア１３０のＵ−Ｕ線矢視断面図である。
【図７１】図７０に示すフリーアクセスフロア１３０の左上部分を拡大して示す部分拡大図である。
【図７２】図６９に示すフリーアクセスフロア１３０のＶ−Ｖ線矢視断面図である。
【図７３】図７２に示すフリーアクセスフロア１３０の左上部分を拡大して示す部分拡大図である。
【図７４】フロアパネル１３８と支持台１３２が係合する直前の状態を説明するための図である。
【図７５】可動部１３７を弾性変形させた際に、押上部１３７ｂがフロアパネル１３８の受板部１３８ｆを押圧することにより、フロアパネル１３８が持ち上がる状態を示す図である。
【図７６】可動部１３７を弾性変形させて、フロアパネル１３８と支持台１３２の係合を外した状態を示す図である。
【図７７】本発明の第８の実施の形態に係るフリーアクセスフロア１５０における、フロアパネル１５８と支持台１５２の係合を外して、フロアパネル１５８が上方に持ち上がった状態の上面図である。
【図７８】図７７に示すフロアパネル１５８の上面図である。
【図７９】図７８に示すフロアパネル１５８のＸ−Ｘ線矢視断面図である。
【図８０】図７７に示す支持台１５２の斜視図である。
【図８１】図８０に示す支持台１５２の上面図である。
【図８２】図７７に示すフリーアクセスフロア１５０のＷ−Ｗ線矢視断面図である。
【図８３】従来のフリーアクセスフロア２を示す平面図である。
【図８４】図８３に示す従来のフリーアクセスフロア２の敷設作業の途中段階にあるものを示す図であって、パネルユニット４が基礎床面６上に配置された状態を示す平面図である。
【図８５】図８４中の支持台ユニット１０だけを取り出して示すその平面図である。
【図８６】図８５に示す支持台ユニット１０の側面図である。
【図８７】図８５中の支持台１２の平面図である。
【図８８】図８４中のフロアパネル８の上面図である。
【図８９】図８８のフロアパネル８の側面図である。
【図９０】図８８におけるフロアパネル８のＹ−Ｙ線矢視断面図である。
【図９１】図８４におけるパネルユニット４の側面の一部を拡大して示す部分拡大側面図である。
【発明を実施するための形態】
【００３４】
以下、本発明に係るフリーアクセスフロアを実施するための形態について、図面に基づいて具体的に説明する。
【００３５】
図１から図２４は、本発明の第１の実施の形態に係るフリーアクセスフロア２０について説明するために参照する図である。以下、前記従来のフリーアクセスフロア２と同様の部分には同じ符号を付して説明し、従来と同様の構成についての重複する説明は一部を除き省略する。
【００３６】
本実施の形態に係るフリーアクセスフロア２０は、図８８〜９０に示す前記従来のフリーアクセスフロア２のフロアパネル８の代わりに、図２〜７に示すようなフロアパネル２８を備え、図８５〜８７に示す前記従来のフリーアクセスフロア２の支持台１２の代わりに、図８〜１５に示すような支持台２２を備えている点において、前記従来のフリーアクセスフロア２と異なるものである。その他の構成は、前記従来のフリーアクセスフロア２と同様である。
【００３７】
フロアパネル２８は、１枚の金属製の板状部材をプレス加工することにより形成されており、図４に示すように、略長方形の上面２８ａを有する板状に形成された天板部２８ｂと、この天板部２８ｂの四辺より略垂直下方に折曲げられて形成された４つの側板部２８ｃ（図５〜７参照）を備えて構成されている。
【００３８】
また、図２，７に示すように、フロアパネル２８の天板部２８ｂの対角線上の２つの隅部には、その板厚方向に貫通すると共に、その開口形状が略矩形上の貫通孔２８ｄがそれぞれ形成されている。
【００３９】
また、図３，６に示すように、フロアパネル２８の貫通孔２８ｄが形成された２つの隅部それぞれにおける、互いに直交する２つの側板部２８ｃの長さ方向端部には、フロアパネル２８の内側に向かって突出する凸部２８ｅ（係合部）がそれぞれ形成されている。
【００４０】
支持台２２は、図８に示すように、その外形形状が略円柱状に形成されており、その上面側の中央部には、中心角が略９０度の扇形状の上面を有する上板部２３ａ（図１０参照）と、その上板部２３ａの円弧状に形成された外周側から下方に伸びる脚部２３ｂを有する垂直断面形状が逆Ｌ字状の中央支持部２３が形成されている（図９、１２参照）。
【００４１】
また、図９に示すように、中央支持部２３は、その上端側が支持台２２の高さ途中に形成された水平面２２ｃよりも上方に突出するように伸びていると共に、支持台２２の円周方向に間隔を置いて４つ形成されている（図１０参照）。中央支持部２３の脚部２３ｂの下端部は、図１２に示すように、水平面２２ｃよりも下側まで伸びている。
【００４２】
また、支持台２２の上面における４つの中央支持部２３のそれぞれの半径外方には、水平面２２ｃから上方に突出する２つの脚部２４ｂ（図９参照）と、その２つの脚部２４ｂの上端部の間を架け渡すと共に、略円弧状の上面を有する板状の弧状板部２４ａ（図１０参照）とを有する突出部２４が形成されている。突出部２４の脚部２４ｂの下端部は、図１４に示すように、水平面２２ｃ上に一体的に形成されている。
【００４３】
図９に示すように、突出部２４の２つの脚部２４ｂは、弧状板部２４ａと連続する上面を有するように形成されると共に、弧状板部２４ａの長さ方向の両端部から支持台２２の半径外方に向かって伸びるようにそれぞれ形成されている（図１０参照）。
【００４４】
また、図１２に示すように、突出部２４の弧状板部２４ａの上面の高さ位置は、中央支持部２３の上板部２３ａの上面よりも下方に配置され、弧状板部２４ａには、その上面から上方に突出する押当部２４ｃ（図９参照）が形成されている。
【００４５】
また、図１０に示すように、突出部２４の押当部２４ｃは、弧状板部２４ａの外周形状に沿うように形成されると共に、その上端面が中央支持部２３の上板部２３ａの上面と略同一の高さ位置になるように、垂直断面形状が略矩形状に形成されている（図１２参照）。
【００４６】
また、突出部２４は、中央支持部２３の脚部２３ｂとの間に所定の間隔を空けて形成されていると共に、弧状板部２４ａの内周形状が、脚部２３ｂの外周形状に沿うように形成されている（図１０参照）。
【００４７】
また、図１０，１４に示すように、支持台２２の円周方向に互いに間隔を空けて形成された４つの突出部２４間には、略台形状の垂直断面形状を有する突出部２５が、水平面２２ｃ（図９参照）から上方に突出するように形成されている。
【００４８】
突出部２５は、図１０に示すように、支持台２２の中央支持部２３が形成された中央部の領域よりも半径外方の領域に、円周方向に略９０度の位置を中心にして合計４つ形成されている。また、突出部２５の上面２５ａは、図１４に示すように、突出部２４の脚部２４ｂの上面と略同一の高さ位置になるように形成されている。
【００４９】
そして、図１４に示すように、突出部２４の脚部２４ｂには、その突出部２５に対向する面における上端部２４ｅ（図９参照）よりも下方の位置に、突出部２５側とは反対方向に凹む凹部２４ｄ（係合部）が形成されている。また、突出部２４の上端部２４ｅの面は、中央支持部２３の脚部２３ｂの円周方向の端面２３ｅ（図９参照）と略同一平面上に配置されている（図１０，１１参照）。
【００５０】
また、図１０、１２に示すように、支持台２２の外周縁部には、中央支持部２３の上板部２３ａの上面と略同一高さの略円弧状の上面２６ａを有する外周縁支持部２６が形成されている。
【００５１】
外周縁支持部２６はその内周形状が、突出部２４の弧状板部２４ａ及び脚部２４ｂの外周形状に沿うように形成されると共に、突出部２４に対して所定の間隔を空けて配置されている。また、外周縁支持部２６は、支持台２２の円周方向に互いに間隔を空けて合計４つ形成されている（図１０参照）。
【００５２】
この４つの外周縁支持部２６は、図１１に示すように、支持台２２の外周形状を形成する本体胴部２２ａの上端部に一体的に形成されている。
【００５３】
そして、支持台２２の水平面２２ｃから上方に突出する、突出部２４の脚部２４ｂ、及び突出部２５がそれぞれ形成されることにより、水平面２２ｃ、脚部２４ｂ、及び突出部２５により形成された溝部２２ｂが、図１０中上下左右方向に伸びるように合計８つ形成されている（図１１，１４，１５参照）。
【００５４】
また、図１，１６，２１に示すように、フロアパネル２８の隅部における、互いに直交する隣り合う２つの側板部２８ｃの長さ方向端部を、支持台２２の図１０中上下方向及び左右方向にそれぞれ伸びる、装着するフロアパネル２８の中央部側の２つの溝部２２ｂに図１中上方からそれぞれ嵌入している。
【００５５】
そして、フロアパネル２８の側板部２８ｃを、支持台２２の溝部２２ｂに嵌入して、天板部２８ｂの上面２８ａの裏面が、中央支持部２３の上板部２３ａの上面、及び外周縁支持部２６の上面２６ａに接触することにより、フロアパネル２８は基礎床面６上の所定の高さ位置に支持されている。
【００５６】
また、前述のように、フロアパネル２８の側板部２８ｃには、フロアパネル２８の内側に向かって突出する凸部２８ｅ（図６参照）が形成されているため、フロアパネル２８の側板部２８ｃを、支持台２２の溝部２２ｂに図１中上方から嵌入する際には、突出部２４の上端部２４ｅ（図１４参照）と、突出部２５の間の隙間を押し広げて、側板部２８ｃの凸部２８ｅが形成されている部分が通過できるようになっている。
【００５７】
すなわち、前述のように、突出部２４と外周縁支持部２６の間には隙間があるため、突出部２４を外周縁支持部２６側に押すことにより、突出部２４を弾性変形させて、突出部２４の上端部２４ｅと、突出部２５の間の隙間を押し広げるようになっている。
【００５８】
そして、突出部２４を弾性変形させることにより、フロアパネル２８の側板部２８ｃの凸部２８ｅが形成された部分が、突出部２４の上端部２４ｅと、突出部２５の間の隙間を通過し、弾性変形の復元後に、凸部２８ｅが突出部２４の脚部２４ｂに形成された凹部２４ｄに係合するようになっている（図１８，１９参照）。
【００５９】
したがって、フロアパネル２８の側板部２８ｃの凸部２８ｅと、突出部２４の脚部２４ｂの凹部２４ｄが互いに係合することにより、例えば、複数のフロアパネル２８と支持台２２を組み合わせたパネルユニット（図８４参照）を工場から持ち運んでいる途中や、基礎床面６に不陸面が形成されていた場合でも、フロアパネル２８と支持台２２が容易に分離してしまうことを防止することができる。
【００６０】
また、フロアパネル２８の側板部２８ｃを、支持台２２の溝部２２ｂに図１中上方から嵌入する際には、突出部２４の上端部２４ｅと突出部２５の間の隙間を押し広げるように、突出部２４を弾性変形させているため、フロアパネル２８の側板部２８ｃを支持台２２の溝部２２ｂに容易に嵌入することができる。
【００６１】
また、図１６に示すように、フロアパネル２８の天板部２８ｂの対角線上の２つの隅部に形成された貫通孔２８ｄ（図２参照）は、フロアパネル２８の上面側から貫通孔２８ｄに、例えばドライバ等の棒状部材３０（図２２参照）を挿通して、支持台２２に形成された押当部２４ｃに棒状部材３０の先端部を押し当てることができる位置に形成されている。
【００６２】
そして、図２２に示すように、フロアパネル２８の上面側から貫通孔２８ｄにドライバ等の棒状部材３０を挿通して、押当部２４ｃに棒状部材３０の先端部を押し当てて、押当部２４ｃに対して外周縁支持部２６側に向かう力を加えることにより、溝部２２ｂの幅が広がる方向に突出部２４を弾性変形させることができる（図２３参照）。
【００６３】
したがって、上記のように、押当部２４ｃに棒状部材３０の先端部を押し当てて、溝部２２ｂの幅が広がる方向に突出部２４を弾性変形させることにより、フロアパネル２８の凸部２８ｅと、突出部２４の凹部２４ｄとの係合が外れて、支持台２２の溝部２２ｂに嵌入されたフロアパネル２８を容易に取り外すことができる。
【００６４】
また、支持台２２の対角線上に位置する２つの中央支持部２３（付勢手段）の上面には、図１０，１２，１３に示すように、上方に突出する略半球状の球状突起２３ｆがそれぞれ１つ形成されている。また、球状突起２３ｆは、中央支持部２３の上板部２３ａの上面における、円弧状に形成された外周側より半径内方（図１０中、支持台２２の水平方向中央側）の位置に形成されている。
【００６５】
したがって、フロアパネル２８の側板部２８ｃが支持台２２の溝部２２ｂに嵌入される前は、中央支持部２３の上板部２３ａの上面に球状突起２３ｆが形成されていることにより、中央支持部２３の上端位置が、外周縁支持部２６の上面２６ａよりも球状突起２３ｆの高さ分だけ高くなっている。
【００６６】
そして、図２０に示すように、フロアパネル２８の側板部２８ｃが支持台２２の溝部２２ｂに嵌入して、フロアパネル２８の凸部２８ｅと、突出部２４の凹部２４ｄが互いに係合された状態（図１８，１９参照）においては、支持台２２の中央支持部２３の半径内方の部分は、フロアパネル２８の天板部２８ｂにより図２０中上方から押圧され、略半球状の球状突起２３ｆの高さ分だけ弾性変形により下方に撓んでいる。
【００６７】
したがって、フロアパネル２８の側板部２８ｃが支持台２２の溝部２２ｂに嵌入して、フロアパネル２８の凸部２８ｅと、突出部２４の凹部２４ｄが互いに係合された状態（図１８，１９参照）においては、フロアパネル２８は支持台２２の中央支持部２３の弾性力により図２０中上方へ付勢されている。
【００６８】
そして、前述のように、支持台２２の押当部２４ｃにドライバ等の棒状部材３０の先端部を押し当てて（図２２参照）、フロアパネル２８の凸部２８ｅと、突出部２４の凹部２４ｄとの係合を外すことができる幅まで溝部２２ｂを押し広げた（図２３参照）際には、図２４に示すように、支持台２２の中央支持部２３の弾性力により、フロアパネル２８が自動的に上方へ持ち上げられる。
【００６９】
上記のように、本実施の形態に係るフリーアクセスフロア２０においては、フロアパネル２８の４つの隅部全てにおいて、側板部２８ｃの凸部２８ｅと、支持台２２の突出部２４の凹部２４ｄとが互いに係合するように構成されてはいない。
【００７０】
仮に、フロアパネル２８の４つの隅部全てにおいて、支持台２２と互いに係合するようにした場合、４つの隅部の内の１つの隅部において、上記のように係合を外すことができる幅まで溝部２２ｂを押し広げたとしても、その１つの隅部に隣合う他の２つの隅部においては、フロアパネル２８と支持台２２との係合は外れていない。
【００７１】
そのため、上記１つの隅部において係合を外して、中央支持部２３の弾性力により、球状突起２３ｆの高さ分だけフロアパネル２８を上方へ持ち上げようしても、上記隣合う他の２つの隅部における、フロアパネル２８と支持台２２との係合が、フロアパネル２８が上方へ持ち上がらないように作用することになる。
【００７２】
そのため、本実施の形態に係るフリーアクセスフロア２０においては、図３に示すように、フロアパネル２８の４つの隅部全てではなく、フロアパネル２８の対角線上に位置する２つの隅部においてのみ、それぞれ互いに直交する２つの側板部２８ｃの長さ方向端部に凸部２８ｅを形成し、この２つの隅部においてのみ、フロアパネル２８の凸部２８ｅと、突出部２４の凹部２４ｄとが係合するようになっている。
【００７３】
このように、フロアパネル２８の凸部２８ｅと、突出部２４の凹部２４ｄとの係合を外すことができる幅まで溝部２２ｂを押し広げた際に、支持台２２の中央支持部２３の弾性力によりフロアパネル２８が自動的に上方へ持ち上げられるため、支持台２２の溝部２２ｂに嵌入されたフロアパネル２８を容易に取り外すことができる。
【００７４】
したがって、以上に説明したように、本実施の形態に係るフリーアクセスフロア２０によれば、フロアパネルと支持台との着脱を容易にして、その構成部材が破損しないようにすることができる。
【００７５】
図２５〜図３３は、本発明の第２の実施の形態に係るフリーアクセスフロア４０について説明するために参照する図である。
【００７６】
本実施の形態に係るフリーアクセスフロア４０は、図２５，２６に示すように、フロアパネル４８の側板部４８ｃの形状が、前記第１の実施の形態に係るフリーアクセスフロア２０の側板部２８ｃの形状と異なるものである。
【００７７】
すなわち、前記第１の実施の形態に係るフリーアクセスフロア２０においては、フロアパネル２８の対角線上に位置する２つの隅部それぞれにおける、互いに直交する２つの側板部２８ｃの長さ方向端部には、フロアパネル２８の内側に向かって突出する凸部２８ｅがそれぞれ形成されていた（図３，６参照）。
【００７８】
これに対し、本実施の形態に係るフリーアクセスフロア４０においては、図２５，２６に示すように、フロアパネル４８の対角線上に位置する２つの隅部それぞれにおける、互いに直交する２つの側板部４８ｃの長さ方向端部には、側板部４８ｃの板厚方向（図２６中左右方向）に貫通すると共に、開口形状が略円形（図２５参照）の貫通孔４８ｇ（係合部）がそれぞれ形成されている。
【００７９】
また、本実施の形態に係るフリーアクセスフロア４０は、図２７，２８に示すように、支持台４２の突出部４４の脚部４４ｂの形状が、前記第１の実施の形態に係るフリーアクセスフロア２０における、支持台２２の突出部２４の脚部２４ｂの形状と異なるものである（図９参照）。
【００８０】
すなわち、前記第１の実施の形態に係るフリーアクセスフロア２０においては、突出部２４の脚部２４ｂには、その突出部２５に対向する面における上端部２４ｅよりも下側の位置に、突出部２５側とは反対方向に凹む凹部２４ｄが形成されていた（図１４参照）。そして、図１０に示すように、脚部２４ｂの上端部２４ｅの面は、中央支持部２３の脚部２３ｂの円周方向の端面２３ｅ（図９参照）と略同一平面上に配置されていた。
【００８１】
これに対し、本実施の形態に係るフリーアクセスフロア４０においては、図２９に示すように、突出部４４の脚部４４ｂには、その突出部４５に対向する面の中央部（図２７参照）に、突出部４５側に突出する球状凸部４４ｅ（係合部）が形成されている。
【００８２】
また、図２８に示すように、脚部４４ｂの突出部４５に対向する面における、球状凸部４４ｅ以外の平面部分は、中央支持部４３の脚部４３ｂの円周方向の端面４３ｅ（図２７参照）と略同一平面上に配置されている。
【００８３】
このように、突出部４４の脚部４４ｂには、突出部４５側に突出する球状凸部４４ｅが形成されているため、球状凸部４４ｅが形成された部分の溝部４２ｂの幅は、フロアパネル４８の側板部４８ｃの板厚よりも小さくなっている（図２９参照）。
【００８４】
そのため、フロアパネル４８の側板部４８ｃを、支持台４２の溝部４２ｂに図２９中上方から嵌入する際には、突出部４４の脚部４４ｂと突出部４５の間の隙間を押し広げるように、突出部４４を弾性変形させるようになっている。
【００８５】
すなわち、突出部４４と外周縁支持部４６の間には隙間があるため、突出部４４を外周縁支持部４６側に押すことにより、突出部４４を弾性変形させて、突出部４４の脚部４４ｂと突出部４５の間の溝部４２ｂの隙間を押し広げることができる。
【００８６】
そして、突出部４４を弾性変形させることにより、図３１，３２に示すように、フロアパネル４８の側板部４８ｃが、支持台４２の溝部４２ｂに嵌入して、突出部４４の脚部４４ｂの球状凸部４４ｅが、フロアパネル４８の側板部４８ｃの貫通孔４８ｇに係合するようになっている。
【００８７】
したがって、突出部４４の脚部４４ｂの球状凸部４４ｅと、フロアパネル４８の側板部４８ｃの貫通孔４８ｇが係合することにより、例えば、複数のフロアパネル４８と支持台４２を組み合わせたパネルユニット（図８４参照）を工場から持ち運んでいる途中や、基礎床面６に不陸面が形成されていた場合でも、フロアパネル４８と支持台４２が容易に分離してしまうことを防止することができる。
【００８８】
その他の構成は、前記第１の実施の形態に係るフリーアクセスフロア２０と同様であり、本実施の形態に係るフリーアクセスフロア４０における中央支持部４３、外周縁支持部４６、突出部４５は、前記第１の実施の形態に係るフリーアクセスフロア２０における、中央支持部２３、外周縁支持部２６、突出部２５と同様である。
【００８９】
また、前記第１の実施の形態に係るフリーアクセスフロア２０と同様に、フロアパネル４８の天板部４８ｂの隅部に形成された貫通孔４８ｄ（図２５参照）は、フロアパネル４８の上面側からこの貫通孔４８ｄに、例えばドライバ等の棒状部材３０（図２２参照）を挿通して、支持台４２の突出部４４に形成された押当部４４ｃ（図２７参照）に棒状部材３０の先端部を押し当てることができる位置に形成されている（図３０参照）。
【００９０】
そして、フロアパネル４８の上面側から貫通孔４８ｄにドライバ等の棒状部材３０を挿通して、押当部４４ｃに棒状部材３０の先端部を押し当てて、押当部４４ｃに対して外周縁支持部４６側に向かう力を加えることにより、突出部４４の脚部４４ｂと、突出部４５の間の溝部４２ｂの隙間が広がる方向に突出部４４を弾性変形させることができる（図３３参照）。
【００９１】
したがって、上記のように、溝部４２ｂの幅が広がる方向に突出部４４を弾性変形させることにより、突出部４４の脚部４４ｂの球状凸部４４ｅと、フロアパネル４８の側板部４８ｃの貫通孔４８ｇとの係合が外れて、支持台４２の溝部４２ｂに嵌入されたフロアパネル４８を容易に上方に取り外すことができるようになっている。
【００９２】
このような本実施の形態に係るフリーアクセスフロア４０によっても、前記第１の実施の形態に係るフリーアクセスフロア２０と同様の効果を得ることができる。
【００９３】
図３４，図３５は、本発明の第３の実施の形態に係るフリーアクセスフロア６０について説明するために参照する図である。
【００９４】
本実施の形態に係るフリーアクセスフロア６０は、フロアパネル２８が支持台６２から取り外される際に、フロアパネル２８を上方へ持ち上げる付勢手段が、前記第１の実施の形態に係るフリーアクセスフロア２０における付勢手段と異なるものである。
【００９５】
すなわち、前記第１の実施の形態に係るフリーアクセスフロア２０においては、支持台２２の中央支持部２３の上板部２３ａの上面に略半球状の球状突起２３ｆが形成されていた（図１１，１２参照）。
【００９６】
そして、支持台２２の押当部２４ｃにドライバ等の棒状部材３０の先端部を押し当てて、フロアパネル２８の凸部２８ｅと、突出部２４の凹部２４ｄとの係合を外すことができる幅まで溝部２２ｂを押し広げた際に、フロアパネル２８が支持台２２の中央支持部２３の弾性力により球状突起２３ｆの高さ分だけ上方へ持ち上げられるようになっていた（図２２〜２４参照）。
【００９７】
これに対し、本実施の形態に係るフリーアクセスフロア６０においては、図３４に示すように、支持台６２は前記第１の実施の形態における支持台２２の中央支持部２３の球状突起２３ｆを備えておらず、支持台６２の外周面に弾性力を有する略棒状の弾性部材６８（付勢手段）が固定されている。
【００９８】
弾性部材６８は、支持台６２の外周面から同図中左上斜め方向にその長さ方向が伸びるように、その一端部が支持台６２の外周面に固定され、その他端部に同図中左下斜め方向に折れ曲がる折曲部６８ａが形成されている。
【００９９】
また、図３４に示すように、フロアパネル２８の側板部２８ｃが支持台６２の溝部６２ｂに上方から嵌入される前は、折曲部６８ａの上端部の高さ位置（同図中上下方向の位置）は、支持台６２の上端面よりも上方に配置されている。
【０１００】
そして、図３５に示すように、フロアパネル２８の側板部２８ｃが、支持台６２の溝部６２ｂに嵌入した状態においては、弾性部材６８の折曲部６８ａの上端部は、フロアパネル２８の天板部２８ｂの上面２８ａの裏面に当接している。
【０１０１】
そのため、弾性部材６８は、その折曲部６８の上端部の高さ位置（図３５中、上下方向の位置）が、支持台６２の上端面と同一の高さとなるように、フロアパネル２８の天板部２８ｂにより上方から押圧されて弾性変形している。
【０１０２】
そして、前記第１の実施の形態に係るフリーアクセスフロア２０と同様に、フロアパネル２８と支持台６２との係合を外すことができる幅まで溝部６２ｂを押し広げた際には、フロアパネル２８が弾性部材６８の弾性力により上方へ自動的に持ち上げられるようになっている。
【０１０３】
したがって、上記のように、フロアパネル２８が弾性部材６８の弾性力により上方へ自動的に持ち上げられるため、支持台６２の溝部６２ｂに嵌入されたフロアパネル２８を容易に取り外すことができる。
【０１０４】
その他の構成は、前記第１の実施の形態に係るフリーアクセスフロア２０と同様である。
【０１０５】
このような本実施の形態に係るフリーアクセスフロア６０によっても、前記第１の実施の形態に係るフリーアクセスフロア２０と同様の効果を得ることができる。
【０１０６】
図３６は、本発明の第４の実施の形態に係るフリーアクセスフロア８０について説明するために参照する図である。
【０１０７】
本実施の形態に係るフリーアクセスフロア８０は、フロアパネル２８が支持台８２から取り外される際に、フロアパネル２８を上方へ持ち上げる付勢手段が、前記第１の実施の形態に係るフリーアクセスフロア２０における付勢手段と異なるものである。
【０１０８】
すなわち、前記第１の実施の形態に係るフリーアクセスフロア２０においては、支持台２２の中央支持部２３に略半球状の球状突起２３ｆが形成されていた（図１２参照）。そして、支持台２２の押当部２４ｃにドライバ等の棒状部材３０の先端部を押し当てて、フロアパネル２８の凸部２８ｅと、突出部２４の凹部２４ｄとの係合を外すことができる幅まで溝部２２ｂを押し広げた際に、フロアパネル２８が、支持台２２の中央支持部２３の弾性力により球状突起２３ｆの高さ分だけ上方へ持ち上げられるようになっていた（図２２〜２４参照）。
【０１０９】
これに対し、本実施の形態に係るフリーアクセスフロア８０においては、支持台８２が前記第１の実施の形態における支持台２２の中央支持部２３の球状突起２３ｆを備えておらず、フロアパネル２８の側板部２８ｃが支持台８２に嵌入される前は、中央支持部８３の上板部８３ａ（付勢手段）が、支持台８２の中央側に向かうに従って高くなるように傾斜している（図３６参照）。
【０１１０】
したがって、フロアパネル２８の側板部２８ｃが支持台８２に嵌入される前は、中央支持部８３の上板部８３ａの上端位置が、外周縁支持部８６の上面８６ａよりも高くなっている。
【０１１１】
そして、フロアパネル２８の側板部２８ｃが支持台８２に嵌入して、フロアパネル２８と支持台８２が互いに係合された状態においては、中央支持部８３の上板部８３ａが、フロアパネル２８の天板部２８ｂにより上方から押圧されて、外周縁支持部８６の上面８６ａと同じ高さの略水平な状態になるように弾性変形するようになっている。
【０１１２】
そして、前記第１の実施の形態に係るフリーアクセスフロア２０と同様に、フロアパネル２８と支持台８２との係合を外す際には、図３６に示すように、フロアパネル２８が中央支持部８３の上板部８３ａの弾性力により上方へ自動的に持ち上げられるようになっている。
【０１１３】
したがって、上記のように、フロアパネル２８が中央支持部８３の上板部８３ａの弾性力により上方へ自動的に持ち上げられるため、支持台８２に嵌入されたフロアパネル２８を容易に取り外すことができる。
【０１１４】
その他の構成は、前記第１の実施の形態に係るフリーアクセスフロア２０と同様である。
【０１１５】
このような本実施の形態に係るフリーアクセスフロア８０によっても、前記第１の実施の形態に係るフリーアクセスフロア２０と同様の効果を得ることができる。
【０１１６】
図３７は、本発明の第５の実施の形態に係るフリーアクセスフロアについて説明するために参照する図である。
【０１１７】
本実施の形態に係るフリーアクセスフロアは、図３７に示すように、支持台１０２の形状が前記第２の実施の形態に係るフリーアクセスフロア４０の支持台４２の形状と異なるものである。
【０１１８】
すなわち、前記第２の実施の形態に係るフリーアクセスフロア４０においては、支持台４２の中央支持部４３と突出部４４の間には所定の空間（図２７，２８参照）が形成されていたが、本実施の形態に係るフリーアクセスフロアにおいては、図３７に示すように、中央支持部１０３と突出部１０４が一体となるように形成されている。その他の構成は、前記第２の実施の形態に係るフリーアクセスフロア４０と同様である。
【０１１９】
このような本実施の形態に係るフリーアクセスフロアによっても、前記第１の実施の形態に係るフリーアクセスフロア２０と同様の効果を得ることができる。
【０１２０】
図３８から図５４は、本発明の第６の実施の形態に係るフリーアクセスフロア１１０について説明するために参照する図である。以下、前記従来のフリーアクセスフロア２と同様の部分には同じ符号を付して説明し、従来と同様の構成についての重複する説明は一部を除き省略する。
【０１２１】
本実施の形態に係るフリーアクセスフロア１１０は、図８８〜９０に示す前記従来のフリーアクセスフロア２のフロアパネル８の代わりに、図３９〜４３に示すようなフロアパネル１１８を備え、図８５〜８７に示す前記従来のフリーアクセスフロア２の支持台１２の代わりに、図４４〜５０に示すような支持台１１２を備えている点において、前記従来のフリーアクセスフロア２と異なるものである。その他の構成は、前記従来のフリーアクセスフロア２と同様である。
【０１２２】
フロアパネル１１８は、１枚の金属製の板状部材をプレス加工することにより形成されており、図３９に示すように、略正方形の上面１１８ａを有する板状に形成された天板部１１８ｂと、この天板部１１８ｂの四辺より略垂直下方に折曲げられて形成された４つの側板部１１８ｃ（図４０〜４３参照）を備えて構成されている。
【０１２３】
前記従来のフリーアクセスフロア２のフロアパネル８は、図８８に示すように、略長方形の上面８ａを有する板状に形成された天板部８ｂを備えていたので、１枚のフロアパネル８が６個の支持台１２上に載置されるようになっていた（図８４参照）。
【０１２４】
一方、本実施の形態に係るフリーアクセスフロア１１０のフロアパネル１１８は、略正方形の上面１１８ａを有する板状に形成された天板部１１８ｂを備えているため、１枚のフロアパネル１１８が４個の支持台１１２上に載置されるようになっている。
【０１２５】
図３９，４０に示すように、フロアパネル１１８の天板部１１８ｂの対角線上の２つの隅部には、その板厚方向に貫通すると共に、その開口形状が略正方形状の貫通孔１１８ｄがそれぞれ形成されている。
【０１２６】
また、図４０，４３に示すように、フロアパネル１１８には、貫通孔１１８ｄにおけるフロアパネル１１８の中央側（図４３中左側）の縁部１１８ｆから、斜め下方に向かって傾斜する傾斜部１１８ｇと、その傾斜部１１８ｇの下端部からフロアパネル１１８の外周側（図４３中右側）に向かって伸びるように形成された平板部１１８ｈを備える係合部１１８ｅが形成されている。
【０１２７】
支持台１１２は、図４４に示すように、その外形形状が略円柱状に形成されており、その上面側には、中心角が略９０度の扇形状の上面を有する板状の支持部１１６が、支持台１１２の円周方向に互いに間隔を空けて４つ形成されている。
【０１２８】
すなわち、支持台１１２は、略円筒状の本体胴部１１２ａ（図４４参照）の上端部を、扇形状の上面を有する板状の４つの支持部１１６により蓋をしているような形状に形成されている。
【０１２９】
また、支持台１１２の外周側には、図４４，４５に示すように、支持部１１６の板厚方向に貫通すると共に、本体胴部１１２ａの高さ方向に渡って開口する（図４７参照）略コの字状の開口形状を有する開口部１１２ｂが、支持台１１２の外周から中央部側に向かって凹むように２つ形成されている。開口部１１２ｂは、図４５に示すように、支持台１１２の円周方向に互いに略１８０度の間隔を空けてそれぞれ形成されている。
【０１３０】
また、図４５，４８に示すように、開口部１１２ｂにおける支持台１１２の中央側の縁部には、支持部１１６の上面１１６ａから、支持台１１２の外周側に斜め下方に傾斜するように形成された傾斜面１１２ｄが形成されている。
【０１３１】
そして、図４７に示すように、支持部１１６の上面１１６ａよりも上方に突出する係合部１１７ａと、その係合部１１７ａの下端部から図中下方に伸びるように形成された板状の脚部１１７ｅを有する可動部１１７が、開口部１１２ｂ内に収納されるように形成されている（図４４参照）。そして、図４４に示すように、係合部１１７ａ及び脚部１１７ｅは、開口部１１２ｂの略コの字状の縁部から所定の間隔を空けるように形成されている（図４５参照）。
【０１３２】
また、可動部１１７の脚部１１７ｅは、本体胴部１１２ａの下端部から所定の高さ位置まで立設するように形成された板状の基礎板部１１２ｇ（図４４，４６参照）の上端部から上方に立ち上るように形成されている。また、基礎板部１１２ｇ及び脚部１１７ｅは、円柱状の支持台１１２の外周面の一部を形成するように配置されている。
【０１３３】
可動部１１７は、図４７に示すように、支持部１１６の上面１１６ａよりも上方に突出する係合部１１７ａが、支持部１１６の上面１１６ａよりも下側に形成された脚部１１７ｅよりも、支持台１１２の半径方向（同図中左右方向）に拡径しているため、その垂直断面形状は略Ｔ字状に形成されている。
【０１３４】
また、図４８に示すように、係合部１１７ａは、支持台１１２の中央側（同図中右側）の傾斜部１１７ｂ、及び支持台１１２の外周側（同図中左側）の傾斜部１１７ｃが、係合部１１７ａの上面から下方に向かって傾斜するようにそれぞれ形成されているため、係合部１１７ａの垂直断面形状は略台形状に形成されている。
【０１３５】
可動部１１７は、開口部１１２ｂの略コの字状の縁部から所定の間隔を空けるように形成されているため、可動部１１７を弾性変形させることにより、図４９に示すように、係合部１１７ａの傾斜部１１７ｂが傾斜面１１２ｄに接触するまで、可動部１１７を支持台１１２の中央側（同図中右側）に傾かせることができる。
【０１３６】
また、支持台１１２に傾斜面１１２ｄが形成されているため、傾斜面１１２ｄが形成されていない場合に比べて、可動部１１７を弾性変形により支持台１１２の中央側（同図中右側）に傾かせることができる角度を大きくすることができるようになっている。
【０１３７】
また、図４４，４５に示すように、支持台１１２の円周方向に互いに間隔を空けて形成された４つの支持部１１６間には、略長方形状の垂直断面形状を有する突出部１１５が、支持台１１２の高さ途中に形成された水平面１１２ｃ（図４６参照）から、支持部１１６の上面１１６ａと略同じ高さ位置まで上方に突出するように形成されている。
【０１３８】
そして、突出部１１５が形成されることにより、図４６に示すように、水平面１１２ｃ、突出部１１５、支持部１１６の突出部１１５に対向する側面、及び本体胴部１１２ａの突出部１１５に対向する面１１２ｆ（図４４参照）により形成された溝部１１２ｅが、図４５中上下左右方向に伸びるように合計８つ形成されている。
【０１３９】
また、図４５に示すように、開口部１１２ｂが形成された支持部１１６における、開口部１１２ｂよりも中央側には、板厚方向に貫通する（図４８参照）と共に略長方形の開口形状を有する貫通孔１１６ｃが形成されている。
【０１４０】
そして、図４８に示すように、貫通孔１１６ｃ内には、押上部１１９（付勢手段）が、貫通孔１１６ｃにおける中央側の縁部１１６ｐ以外の縁部から所定の間隔を空けるように形成されている（図４５参照）。
【０１４１】
押上部１１９には、貫通孔１１６ｃにおける中央側の縁部１１６ｐから、支持部１１６の上面１１６ａの裏面よりも図４８中下側に突出すると共に、その垂直断面形状が略Ｕ字状に形成されたＵ字状部１１９ｂが形成されている。
【０１４２】
また、押上部１１９には、Ｕ字状部１１９ｂの同図中左側の上端部から、支持台１１２の外周側（同図中左側）方向に伸びると共に、その上面が支持部１１６の上面１１６ａと略同じ高さとなるように形成された平板部１１９ｃが形成されている。
【０１４３】
そして、平板部１１９ｃにおける、支持台１１２の外周側（同図中左側）の端部には、その上面から係合部１１７ａの上面と略同一高さ位置まで上方に突出する凸部１１９ａが形成されている。
【０１４４】
押上部１１９は、貫通孔１１６ｃの縁部から所定の間隔を空けるように形成されているため、凸部１１９ａに図４８中下方に向かって力を加えて、押上部１１９を弾性変形させることにより、図５０に示すように、凸部１１９ａの上端部が支持部１１６の上面１１６ａと略同じ高さ位置になるように、押上部１１９を同図中下側に押し込むことができる。
【０１４５】
また、押上部１１９は、垂直断面形状が略Ｕ字状に形成されたＵ字状部１１９ｂが形成されているため、Ｕ字状部１１９ｂが形成されていない場合と比べて、押上部１１９を同図中下側に押し込む際に大きな力を必要としないようになっている。
【０１４６】
また、図５１，５２に示すように、フロアパネル１１８の隅部における、互いに直交する隣り合う２つの側板部１１８ｃの長さ方向端部を、支持台１１２の図４５中上下方向及び左右方向にそれぞれ伸びる、装着するフロアパネル１１８の中央部側に位置する２つの溝部１１２ｅに図５２中上方からそれぞれ嵌入している。
【０１４７】
そして、フロアパネル１１８の側板部１１８ｃを、支持台１１２の溝部１１２ｅに嵌入して、天板部１１８ｂの上面１１８ａの裏面が、支持部１１６の上面１１６ａに接触することにより、フロアパネル１１８は基礎床面６上の所定の高さ位置に支持されている。
【０１４８】
また、前述のように、フロアパネル１１８の天板部１１８ｂの対角線上の２つの隅部には、その板厚方向に貫通する貫通孔１１８ｄ、及び上面１１８ａの裏面よりも下方に突出する係合部１１８ｅ（図４３参照）が形成され、支持台１１２には、支持部１１６の上面１１６ａよりも上方に突出する係合部１１７ａ（図４７参照）が形成されている。
【０１４９】
そのため、フロアパネル１１８の側板部１１８ｃを、支持台１１２の溝部１１２ｅに嵌入して、天板部１１８ｂの上面１１８ａの裏面を、支持部１１６の上面１１６ａに接触させる際には、図５２に示すように、支持台１１２の係合部１１７ａがフロアパネル１１８の貫通孔１１８ｄ内に挿入されるようになっている。
【０１５０】
すなわち、フロアパネル１１８の側板部１１８ｃを、支持台１１２の溝部１１２ｅに上方から嵌入する際には、図５３に示すように、係合部１１８ｅの平板部１１８ｈ（図４３参照）が、係合部１１７ａの傾斜部１１７ｃ（図４８参照）に接触する。そして、係合部１１７ａの傾斜部１１７ｃをフロアパネル１１８の係合部１１８ｅが下方に押す力により、支持台１１２の可動部１１７は、弾性変形して支持台１１２の中央側（図５３中右側）に傾くようになっている。
【０１５１】
そして、支持台１１２の係合部１１７ａの図５３中左端部が、フロアパネル１１８の係合部１１８ｅの平板部１１８ｈの同図中右端部よりも支持台１１２の中央部側（同図中右側）に移動するまで、可動部１１７が弾性変形した際に、支持台１１２の係合部１１７ａが天板部１１８ｂの貫通孔１１８ｄ内に挿入されるようになっている。
【０１５２】
なお、図５２においては、支持台１１２の係合部１１７ａの上端部が、フロアパネル１１８の上面１１８ａよりも上方に突出するように示されているが、実際の実施品においては、係合部１１７ａは、その上面がフロアパネル１１８の上面１１８ａと同じ高さ、又は上面１１８ａよりも下側に配置されるように形成されている。
【０１５３】
また、係合部１１７ａが天板部１１８ｂの貫通孔１１８ｄに挿入した際には、弾性変形していた可動部１１７が復元して、図５２に示すように、係合部１１７ａの下面１１７ｄ（図４８参照）が、フロアパネル１１８の係合部１１８ｅの平板部１１８ｈ（図４３参照）の上面に近接して対向するように配置される。
【０１５４】
このため、フロアパネル１１８が支持台１１２に対して図５２中上方に浮き上がろうとした場合には、フロアパネル１１８の係合部１１８ｅの平板部１１８ｈが、支持台１１２の係合部１１７ａの下面１１７ｄ（図４８参照）に接触して互いに係合するようになっている。
【０１５５】
したがって、フロアパネル１１８の係合部１１８ｅと、支持台１１２の係合部１１７ａが互いに係合することにより、例えば、複数のフロアパネル１１８と支持台１１２を組み合わせたパネルユニット（図８４参照）を工場から持ち運んでいる途中や、基礎床面６に不陸面が形成されていた場合でも、フロアパネル１１８と支持台１１２が容易に分離してしまうことを防止することができる。
【０１５６】
また、フロアパネル１１８の側板部１１８ｃを、支持台１１２の溝部１１２ｅに嵌入する際には、支持台１１２の中央側に傾くように、可動部１１７を弾性変形させているため、フロアパネル１１８の側板部１１８ｃを支持台１１２の溝部１１２ｅに容易に嵌入することができる。
【０１５７】
また、フロアパネル１１８と支持台１１２の係合を外す場合には、図５４に示すように、フロアパネル１１８の上面１１８ａ側から貫通孔１１８ｄに人の指１２０を挿入し、支持台１１２の係合部１１７ａに人の指１２０を押し当てて、図中右方向の力を加えることにより、支持台１１２の可動部１１７を弾性変形させる。
【０１５８】
そして、支持台１１２の係合部１１７ａの同図中左端部が、フロアパネル１１８の係合部１１８ｅの平板部１１８ｈの同図中右端部よりも支持台１１２の中央部側（同図中右側）に移動するまで、支持台１１２の可動部１１７を弾性変形させることにより、フロアパネル１１８の係合部１１８ｅと支持台１１２の係合部１１７ａの係合を外し、係合部１１７ａを貫通孔１１８ｄ内から抜き出すことができるようになっている。
【０１５９】
前述のように、支持部１１６の貫通孔１１６ｃ内には、支持部１１６の上面１１６ａよりも上方に突出する凸部１１９ａを有する押上部１１９（図４８参照）が、貫通孔１１６ｃにおける中央側の縁部１１６ｐ以外の縁部から所定の間隔を空けるように形成されている（図４５参照）。
【０１６０】
したがって、フロアパネル１１８の側板部１１８ｃを、支持台１１２の溝部１１２ｅに嵌入して、天板部１１８ｂの上面１１８ａの裏面を、支持部１１６の上面１１６ａに接触させた際には、図５２に示すように、支持台１１２の押上部１１９は、フロアパネル１１８の天板部１１８ｂにより図中上方から押圧され、弾性変形により凸部１１９ａの高さ分だけ下方に撓むようになっている。
【０１６１】
したがって、フロアパネル１１８の側板部１１８ｃが支持台１１２の溝部１１２ｅに嵌入して、支持台１１２の係合部１１７ａが、フロアパネル１１８の係合部１１８ｅと互いに係合された状態（図５２参照）においては、フロアパネル１１８は支持台１１２の押上部１１９の弾性力により図中上方へ付勢されている。
【０１６２】
そして、図５４に示すように、フロアパネル１１８の係合部１１８ｅと、支持台１１２の係合部１１７ａの係合を外した際には、支持台１１２の押上部１１９の弾性力により、フロアパネル１１８が自動的に上方へ持ち上げられるようになっている。
【０１６３】
このように、フロアパネル１１８の係合部１１８ｅと、支持台１１２の係合部１１７ａの係合を外した際に、支持台１１２の押上部１１９の弾性力によりフロアパネル１１８が自動的に上方へ持ち上げられるため、支持台１１２の溝部１１２ｅに嵌入されたフロアパネル１１８を容易に取り外すことができる。
【０１６４】
したがって、以上に説明したように、本実施の形態に係るフリーアクセスフロア１１０によれば、フロアパネルと支持台との着脱を容易にして、その構成部材が破損しないようにすることができる。
【０１６５】
図５５から図７６は、本発明の第７の実施の形態に係るフリーアクセスフロア１３０について説明するために参照する図である。
【０１６６】
本実施の形態に係るフリーアクセスフロア１３０は、図５６，５７に示すように、フロアパネル１３８の天板部１３８ｂの形状が、前記第６の実施の形態に係るフリーアクセスフロア１１０の天板部１１８ｂの形状と異なるものである。
【０１６７】
すなわち、前記第６の実施の形態に係るフリーアクセスフロア１１０においては、図４０に示すように、フロアパネル１１８の対角線上に位置する２つの隅部それぞれに、略正方形状の開口形状を有する貫通孔１１８ｄが形成されると共に、図４３に示すように、その貫通孔１１８ｄの縁部１１８ｆから、上面１１８ａと段差が生じるように、フロアパネル１１８の下面側に突出して形成された係合部１１８ｅがそれぞれ形成されていた。
【０１６８】
これに対し、本実施の形態に係るフリーアクセスフロア１３０においては、図５７に示すように、フロアパネル１３８の対角線上に位置する２つの隅部それぞれに、天板部１３８ｂの板厚方向（図５８中上下方向）に貫通すると共に、段差１３８ｌを有する略凸の字状の開口形状を有する貫通孔１３８ｄがそれぞれ形成されている。貫通孔１３８ｄの開口形状は、フロアパネル１３８の外周側の開口幅が、フロアパネル１３８の中央側の開口幅よりも大きくなるように形成されている。
【０１６９】
また、図５７に示すように、その貫通孔１３８ｄにおける、フロアパネル１３８の外周側の縁部１３８ｉ（図５８参照）から、上面１３８ａと段差が生じるようにフロアパネル１３８の下面側に突出して形成された係合部１３８ｅが、後述する受板部１３８ｆを間に挟むように所定の間隔を空けて２つ形成されている。
【０１７０】
係合部１３８ｅは、図５８に示すように、貫通孔１３８ｄにおけるフロアパネル１３８の外周側の縁部１３８ｉから、フロアパネル１３８の上面１３８ａよりも下方に突出する傾斜部１３８ｋと、その傾斜部１３８ｋの下端部からフロアパネル１３８の中央側（同図中左側）に、天板部１３８ｂに対して略平行に伸びる平板部１３８ｊを有している。
【０１７１】
また、図５９に示すように、２つの係合部１３８ｅの間に挟まれるように形成された受板部１３８ｆ（図５７参照）は、貫通孔１３８ｄにおける、フロアパネル１３８の外周側（図中右側）の縁部１３８ｉから、天板部１３８ｂに対して略平行に伸びる平板部１３８ｇと、平板部１３８ｇの図中左端部から係合部１３８ｅの下端部よりも下方まで傾斜するように形成された傾斜部１３８ｈを有している。
【０１７２】
また、本実施の形態に係るフリーアクセスフロア１３０は、図６０に示すように、支持台１３２の形状が、前記第６の実施の形態に係るフリーアクセスフロア１１０における、支持台１１２の形状と異なるものである。
【０１７３】
すなわち、前記第６の実施の形態に係るフリーアクセスフロア１１０においては、図４５に示すように、２つの支持部１１６に、開口形状が略コの字状の開口部１１２ｂが形成されると共に、その開口部１１２ｂが形成された外周部よりも内側には、板厚方向に貫通する貫通孔１１６ｃが形成されていた。
【０１７４】
さらに、前記第６の実施の形態に係るフリーアクセスフロア１１０においては、図４８に示すように、開口部１１２ｂにおける支持台１１２の中央側の縁部（図４５参照）に、支持部１１６の上面１１６ａから、支持台１１２の外周側に斜め下方に傾斜するように形成された傾斜面１１２ｄが形成されていた。
【０１７５】
これに対し、本実施の形態に係るフリーアクセスフロア１３０においては、図６１に示すように、支持台１３２に、前記第６の実施の形態に係るフリーアクセスフロア１１０における貫通孔１１６ｃ（図４５参照）のような貫通孔は形成されていない。
【０１７６】
さらに、本実施の形態に係るフリーアクセスフロア１３０においては、図６５に示すように、開口部１３２ａにおける支持台１３２の中央側の縁部に、前記第６の実施の形態に係るフリーアクセスフロア１１０における支持台１１２の傾斜面１１２ｄ（図４８参照）のような傾斜面は形成されていない。
【０１７７】
また、前記第６の実施の形態に係るフリーアクセスフロア１１０においては、図４７，４８に示すように、可動部１１７は、支持部１１６の上面１１６ａよりも上方に突出する係合部１１７ａが、支持部１１６の上面１１６ａよりも下側に形成された脚部１１７ｅよりも、支持台１１２の半径方向に拡径するように、その垂直断面形状が略Ｔ字状に形成されていた。
【０１７８】
これに対し、本実施の形態に係るフリーアクセスフロア１３０においては、図６１，６２に示すように、開口部１３２ａ内には、略箱状の上端箱部１３７ｅ（図６４参照）を有する可動部１３７が、開口部１３２ａの略コの字状の縁部から所定の間隔を空けるように形成されている。
【０１７９】
可動部１３７は、図６４に示すように、その上端部が支持部１３６の上面１３６ｂよりも上方に突出する略箱状の上端箱部１３７ｅと、その上端箱部１３７ｅの底面から同図中下方向に伸びるように形成された板状の脚部１３７ｄを備えている。
【０１８０】
また、可動部１３７の脚部１３７ｄは、図６０，６３に示すように、本体胴部１３２ｂの下端部から所定の高さ位置まで立設するように形成された板状の基礎板部１３２ｇの上端部から上方に立ち上るように形成されている。また、基礎板部１３２ｇは、図６２に示すように、開口部１３２ａの略コの字状の縁部の内の対向する２つの縁部の間を架け渡すように形成されている。
【０１８１】
また、図６４に示すように、可動部１３７には、脚部１３７ｄにおける支持台１３２の外周側の側面と、上端箱部１３７ｅの底面の間の隅部を埋めるように形成された垂直断面形状が略三角形状の板状の補強リブ１３７ｃが形成されている。
【０１８２】
上端箱部１３７ｅは、図６５に示すように、その底面を形成する底板部１３７ｇと、その側面を形成する外周板部１３７ｆ，側板部１３７ｈ，押上部１３７ｂ（付勢手段）を備えることにより、内部に内部空間１３９を有する箱状に形成されている。
【０１８３】
図６２に示すように、外周板部１３７ｆは、上端箱部１３７ｅにおける支持台１３２の外周側の側面を形成し、押上部１３７ｂは、上端箱部１３７ｅにおける支持台１３２の中央側の側面を形成し、側板部１３７ｈは、上端箱部１３７ｅにおける支持台１３２の半径方向に平行に伸びる２つの側面を形成している。
【０１８４】
図６５に示すように、押上部１３７ｂの上面１３７ｉは、支持部１３６の上面１３６ｂと略同じ高さ位置となるように形成され、外周板部１３７ｆ及び側板部１３７ｈの上面は、支持部１３６の上面１３６ｂよりも上方に突出するように形成されている。
【０１８５】
また、図６２に示すように、２つの側板部１３７ｈにおける、支持台１３２の中央寄りの外周面には、その上端部（図６７，６８参照）から水平方向外側に向かって伸びるように形成された、板状の係合部１３７ａがそれぞれ形成されている。
【０１８６】
可動部１３７は、開口部１３２ａの縁部から所定の間隔を空けるように形成されているため、図６６に示すように、上端箱部１３７ｅに上方から下方に向かって力を加えて、可動部１３７を弾性変形させることにより、上端箱部１３７ｅを支持台１３２の外周側（同図中左側）に傾かせることができる。
【０１８７】
また、前述のように、フロアパネル１３８の天板部１３８ｂの２つの隅部には、その板厚方向に貫通する貫通孔１３８ｄ（図５７参照）と、フロアパネル１３８の上面１３８ａの裏面よりも下方に突出する係合部１３８ｅ（図５８参照）、及び受板部１３８ｆ（図５９参照）がそれぞれ形成され、支持台１３２には、支持部１３６の上面１３６ｂよりも上方に配置された係合部１３７ａ（図６７参照）を有する上端箱部１３７ｅが２つ形成されている。
【０１８８】
そのため、図７０に示すように、フロアパネル１３８の側板部１３８ｃを、支持台１３２の溝部１３２ｅに嵌入して、天板部１３８ｂの上面１３８ａの裏面を、支持部１３６の上面１３６ｂに接触させる際には、図７３に示すように、天板部１３８ｂの上面１３８ａの裏面よりも下方に突出する受板部１３８ｆの傾斜部１３８ｈを上端箱部１３７ｅの内部空間１３９内に収納すると共に、図７１に示すように、支持部１３６の上面１３６ｂよりも上方に配置された係合部１３７ａをフロアパネル１３８の貫通孔１３８ｄ内に挿入するようになっている。
【０１８９】
すなわち、フロアパネル１３８の側板部１３８ｃを、支持台１３２の溝部１３２ｅに上方から嵌入する際には、図７４に示すように、フロアパネル１３８の係合部１３８ｅの平板部１３８ｊが、係合部１３７ａの傾斜面１３７ｊに接触する。そして、係合部１３７ａの傾斜面１３７ｊをフロアパネル１３８の係合部１３８ｅが下方に押す力により、支持台１３２の可動部１３７は、弾性変形して支持台１３２の外周側（同図中左側）に傾くようになっている。
【０１９０】
そして、支持台１３２の係合部１３７ａの同図中右端部が、フロアパネル１３８の係合部１３８ｅの平板部１３８ｊの同図中左端部よりも支持台１３２の外周側（同図中左側）に配置されるまで、可動部１３７が弾性変形した際に、支持台１３２の係合部１３７ａが天板部１３８ｂの貫通孔１３８ｄに挿入されるようになっている。
【０１９１】
なお、図７０〜７２においては、支持台１３２の上端箱部１３７ｅ、及び係合部１３７ａのそれぞれの上端部が、フロアパネル１３８の上面１３８ａよりも上方に突出するように示されているが、実際の実施品においては、上端箱部１３７ｅ及び係合部１３７ａは、それぞれの上面がフロアパネル１３８の上面１３８ａと同じ高さ、又は上面１３８ａよりも下側に配置されるように形成されている。
【０１９２】
また、支持台１３２の係合部１３７ａが、天板部１３８ｂの貫通孔１３８ｄに挿入した際には、図７１に示すように、弾性変形していた可動部１３７が復元して、係合部１３７ａの下面１３７ｋが、係合部１３８ｅの平板部１３８ｊの上面に近接して対向するように配置される。
【０１９３】
このため、フロアパネル１３８が支持台１３２に対して図７１中上方に浮き上がろうとした場合には、フロアパネル１３８の係合部１３８ｅの平板部１３８ｊの上面が、支持台１３２の係合部１３７ａの下面１３７ｋに接触して互いに係合するようになっている。
【０１９４】
したがって、フロアパネル１３８の係合部１３８ｅと、支持台１３２の係合部１３７が互いに係合することにより、例えば、複数のフロアパネル１３８と支持台１３２を組み合わせたパネルユニット（図８４参照）を工場から持ち運んでいる途中や、基礎床面６に不陸面が形成されていた場合でも、フロアパネル１３８と支持台１３２が容易に分離してしまうことを防止することができる。
【０１９５】
また、フロアパネル１３８の側板部１３８ｃを、支持台１３２の溝部１３２ｅに嵌入する際には、支持台１３２の外周側に傾くように、支持台１３２の可動部１３７を弾性変形させているため、フロアパネル１３８の側板部１３８ｃを支持台１３２の溝部１３２ｅに容易に嵌入することができる（図７４参照）。
【０１９６】
また、フロアパネル１３８と支持台１３２の係合を外す場合には、図７５に示すように、フロアパネル１３８の上面１３８ａ側から貫通孔１３８ｄに、例えばドライバ等の棒状部材１４０を挿通して、支持台１３２の可動部１３７に棒状部材１４０の先端部を上から押し当てて、図中左方向の力を加えることにより、支持台１３２の可動部１３７を弾性変形させる。
【０１９７】
そして、図７６に示すように、係合部１３７ａの図中右側端部が、フロアパネル１３８の係合部１３８ｅの平板部１３８ｊの図中左端部よりも支持台１３２の外周側（同図中左側）に配置されるまで、支持台１３２の可動部１３７を弾性変形させることにより、フロアパネル１３８の係合部１３８ｅと支持台１３２の係合部１３７ａの係合を外し、係合部１３７ａを貫通孔１３８ｄ内から抜き出すことができるようになっている。
【０１９８】
また、図７５に示すように、支持台１３２の可動部１３７を弾性変形させた際には、押上部１３７ｂが支持台１３２の外周側（同図中左側）に移動することにより、支持台１３２の押上部１３７ｂの上面１３７ｉ（図６５，６６参照）が、上端箱部１３７ｅの内部空間１３９内に配置された受板部１３８ｆの傾斜部１３８ｈ（図７３参照）の下面に接触し、受板部１３８ｆの傾斜部１３８ｈが押上部１３７ｂにより図７５中左側に押圧される。
【０１９９】
そして、フロアパネル１３８の受板部１３８ｆの傾斜部１３８ｈが、支持台１３２の押上部１３７ｂにより押圧されることにより、フロアパネル１３８の係合部１３８ｅと支持台１３２の係合部１３７ａの係合が外れた際に、フロアパネル１３８が上方に持ち上がるようになっている。
【０２００】
このように、フロアパネル１３８の係合部１３８ｅと、支持台１３２の係合部１３７ａの係合を外す際に、支持台１３２の押上部１３７ｂが、フロアパネル１３８の傾斜部１３８ｈを押圧して、フロアパネル１３８を上方へ持ち上げるようになっているため、支持台１３２の溝部１３２ｅに嵌入されたフロアパネル１３８を容易に取り外すことができる。
【０２０１】
その他の構成は、前記第６の実施の形態に係るフリーアクセスフロア１１０と同様である。
【０２０２】
このような本実施の形態に係るフリーアクセスフロア１３０によっても、前記第６の実施の形態に係るフリーアクセスフロア１１０と同様の効果を得ることができる。
【０２０３】
図７７から図８２は、本発明の第８の実施の形態に係るフリーアクセスフロア１５０について説明するために参照する図である。
【０２０４】
本実施の形態に係るフリーアクセスフロア１５０は、図７８に示すように、フロアパネル１５８の貫通孔１５８ｄの形態が、前記第６の実施の形態に係るフリーアクセスフロア１１０のフロアパネル１１８の貫通孔１１８ｄの形態と異なるものである。
【０２０５】
すなわち、前記第６の実施の形態に係るフリーアクセスフロア１１０においては、図４３に示すように、フロアパネル１１８の貫通孔１１８ｄは、天板部１１８ｂの上面１１８ａから下面に渡って、天板部１１８ｂの上面１１８ａに対して略垂直に貫通するように形成されていた。
【０２０６】
これに対し、本実施の形態に係るフリーアクセスフロア１５０においては、図７９に示すように、フロアパネル１５８の貫通孔１５８ｄにおける、フロアパネル１５８の外周側（図中左側）の縁部の内周面は、天板部１５８ｂの上面１５８ａから下面に渡って、天板部１５８ｂの上面１５８ａに対して垂直に形成されていない。
【０２０７】
すなわち、フロアパネル１５８の貫通孔１５８ｄにおける、フロアパネル１５８の外周側（図中左側）の縁部の内周面は、天板部１５８ｂの上面１５８ａから図中垂直方向下側に向かって伸びる垂直面１５８ｑと、その垂直面１５８ｑの図中下端部から天板部１５８ｂの下面まで、フロアパネル１５８の外周側（図中左側）に向かって傾斜するように形成された傾斜面１５８ｐが形成されている。
【０２０８】
また、本実施の形態に係るフリーアクセスフロア１５０は、図８０，８１に示すように、支持台１５２の形状が、前記第６の実施の形態に係るフリーアクセスフロア１１０の支持台１１２（図４４，４５参照）の形状と異なるものである。
【０２０９】
すなわち、前記第６の実施の形態に係るフリーアクセスフロア１１０においては、支持台１１２には貫通孔１１６ｃと押上部１１９（図４５参照）が形成されていたが、本実施の形態に係るフリーアクセスフロア１５０の支持台１５２においては、前記第６の実施の形態に係るフリーアクセスフロア１１０における貫通孔１１６ｃと押上部１１９に相当する部分が形成されていない。
【０２１０】
前述のように、フロアパネル１５８に形成された貫通孔１５８ｄには、フロアパネル１５８の外周側（図７９中左側）に向かって傾斜するように形成された傾斜面１５８ｐが形成されているため、図８２に示すように、フロアパネル１５８の係合部１５８ｅと、支持台１５２の係合部１５７ａの係合を外すために、可動部１５７を図中左側に大きく弾性変形させた際に係合部１５７ａが、フロアパネル１５８の傾斜面１５８ｐを押圧してフロアパネル１５８が上方に持ち上がるようになっている。
【０２１１】
すなわち、フロアパネル１５８の係合部１５８ｅと、支持台１５２の係合部１５７ａの係合を外す際に、係合部１５７ａの同図中左側の傾斜面１５７ｒが、フロアパネル１５８の傾斜面１５８ｐに接触して押圧するように、可動部１５７を同図中左側に大きく弾性変形させることにより、フロアパネル１５８が上方に持ち上がるようになっている。
【０２１２】
その他の構成は、前記第６の実施の形態に係るフリーアクセスフロア１１０と同様である。
【０２１３】
このような本実施の形態に係るフリーアクセスフロア１５０によっても、前記第６の実施の形態に係るフリーアクセスフロア１１０と同様の効果を得ることができる。
【０２１４】
なお、本発明は、前記実施の形態にのみ限定されるものではなく、本発明の目的を達成することができる範囲内であれば、フリーアクセスフロアの種々の変更が可能である。
【０２１５】
例えば、前記第１の実施の形態に係るフリーアクセスフロア２０においては、突出部２４の脚部２４ｂに凹部２４ｄが形成され、脚部２４ｂの凹部２４ｄとフロアパネル２８の側板部２８ｃの凸部２８ｅが係合していたが、突出部２４の脚部２４ｂに貫通孔が形成され、その貫通孔にフロアパネル２８の凸部２８ｅが係合するようになっていてもよい。
【０２１６】
また、前記第２の実施の形態に係るフリーアクセスフロア４０においては、フロアパネル４８の側板部４８ｃに板厚方向に貫通する貫通孔４８ｇが形成されていたが、突出部４４の脚部４４ｂの球状凸部４４ｅに係合できるように、フロアパネル４８の内側から外側に向かって凹んだ凹部が側板部４８ｃの内側に形成されていてもよい。
【０２１７】
また、前記第１の実施の形態に係るフリーアクセスフロア２０においては、フロアパネル２８の対角線上に位置する２つの隅部においてのみ、互いに直交する２つの側板部２８ｃの長さ方向端部に凸部２８ｅがそれぞれ形成され、フロアパネル２８の対角線上に位置する２つの隅部においてのみ、フロアパネル２８の凸部２８ｅと、突出部２４の凹部２４ｄとが係合するようになっていたが、このような構成に限定される必要はない。
【０２１８】
したがって、例えば、フロアパネル２８の４つの隅部全てにおいて、互いに直交する２つの側板部２８ｃの長さ方向端部に凸部２８ｅがそれぞれ形成され、フロアパネル２８の４つの隅部全てにおいて、フロアパネル２８の凸部２８ｅと、突出部２４の凹部２４ｄとが係合するようになっていてもよい。
【０２１９】
また、前記第１〜４，６の実施の形態に係るフリーアクセスフロア２０，４０，６０，８０，１１０においては、フロアパネル２８，４８，１１８を容易に取り外すことができるように、支持台２２，４２，６２，８２，１１２が、フロアパネル２８，４８，１１８を弾性力により上方へ自動的に持ち上げる付勢手段を備えていたが、このような構成に限定される必要はない。
【０２２０】
例えば、フロアパネル２８，４８，１１８の天板部２８ｂ，４８ｂ，１１８ｂの上面２８ａ，４８ａ，１１８ａの裏面にバネ等の弾性部材を固定し、その弾性部材の弾性力により、フロアパネル２８，４８，１１８が支持台に対して上方へ持ち上げられるように構成されていてもよい。
【０２２１】
また、前記第３の実施の形態に係るフリーアクセスフロア６０においては、図３４に示すように、支持台６２の外周面に弾性力を有する略棒状の弾性部材６８が固定されていたが、このような構成に限定される必要はなく、フロアパネル２８を上記のように上方に持ち上げることができるように構成されていれば、弾性部材６８の形状、及び弾性部材６８が支持台６２に固定される位置は任意に変更が可能である。
【０２２２】
また、前記第１の実施の形態に係るフリーアクセスフロア２０においては、図２２に示すように、フロアパネル２８の上面側から貫通孔２８ｄにドライバ等の棒状部材３０を挿通して、押当部２４ｃに棒状部材３０の先端部を押し当てて、押当部２４ｃに対して外周縁支持部２６側に向かう力を加えていたが、棒状以外の他のどのような形状の部材により押当部２４ｃに対して力を加えるようにしてもよい。
【０２２３】
また、前記第６の実施の形態に係るフリーアクセスフロア１１０においては、図４５に示すように、支持台１１２に貫通孔１１６ｃと押上部１１９が形成されていたが、このような構成に限定される必要はなく、支持台１１２に貫通孔１１６ｃと押上部１１９が形成されていなくてよい。
【０２２４】
また、前記第６の実施の形態に係るフリーアクセスフロア１１０においては、図４０に示すように、フロアパネル１１８の天板部１１８ｂの対角線上の２つの隅部に、貫通孔１１８ｄ及び係合部１１８ｅが形成され、図４５に示すように、支持台１１２に２つの係合部１１７ａが形成されていたが、このような構成に限定される必要はない。
【０２２５】
したがって、フロアパネル１１８の４つの隅部全てに貫通孔１１８ｄ及び係合部１１８ｅが形成され、支持台１１２に４つの係合部１１７ａが形成され、フロアパネル１１８が４つの隅部において支持台１１２と係合されるようになっていてもよい。
【０２２６】
また、前記第７の実施の形態に係るフリーアクセスフロア１３０においては、図５７に示すように、フロアパネル１３８の天板部１３８ｂの対角線上の２つの隅部に、貫通孔１３８ｄ、係合部１３８ｅ、及び受板部１３８ｆが形成され、図６１に示すように、支持台１３２に２つの可動部１３７が形成されていたが、このような構成に限定される必要はない。
【０２２７】
したがって、フロアパネル１３８の４つの隅部全てに貫通孔１３８ｄ、係合部１３８ｅ、及び受板部１３８ｆが形成され、支持台１３２に４つの可動部１３７が形成され、フロアパネル１３８が４つの隅部において支持台１３２と係合されるようになっていてもよい。
【０２２８】
また、前記第８の実施の形態に係るフリーアクセスフロア１５０においては、図７８に示すように、フロアパネル１５８の天板部１５８ｂの対角線上の２つの隅部に、貫通孔１５８ｄ及び係合部１５８ｅが形成され、図８１に示すように、支持台１５２に２つの係合部１５７ａが形成されていたが、このような構成に限定される必要はない。
【０２２９】
したがって、フロアパネル１５８の４つの隅部全てに貫通孔１５８ｄ及び係合部１５８ｅが形成され、支持台１５２に４つの係合部１５７ａが形成され、フロアパネル１５８が４つの隅部において支持台１５２と係合されるようになっていてもよい。
【０２３０】
また、前記第１〜４，６〜８の実施の形態に係るフリーアクセスフロア２０，４０，６０，８０，１１０，１３０，１５０においては、フロアパネルと支持台が互いに係合する機構、及びフロアパネルが支持台に対して持ち上がる機構が、図８３に示すようなオフィスルーム等の部屋の床部に敷設されるフリーアクセスフロアに適用されていたが、これらの機構が他の種類のフリーアクセスフロアに適用されていてもよい。
【０２３１】
また、前記第６の実施の形態に係るフリーアクセスフロア１１０においては、図５３，図５４に示すように、支持台１１２の可動部１１７が弾性変形することにより、フロアパネル１１８の係合部１１８ｅと、支持台１１２の係合部１１７ａが係合し、その係合が外れていたが、このような構成に限定される必要はない。
【０２３２】
したがって、フロアパネル１１８の係合部１１８ｅのみが弾性変形することにより、フロアパネル１１８の係合部１１８ｅと、支持台１１２の係合部１１７ａが係合し、その係合が外れるように構成されていてもよいし、フロアパネル１１８の係合部１１８ｅと、支持台１１２の可動部１１７の両方が弾性変形することにより、フロアパネル１１８の係合部１１８ｅと、支持台１１２の係合部１１７ａが係合し、その係合が外れるように構成されていてもよい。
【０２３３】
また、前記第７の実施の形態に係るフリーアクセスフロア１３０においては、図７４〜図７６に示すように、支持台１３２の可動部１３７が弾性変形することにより、フロアパネル１３８の係合部１３８ｅと、支持台１３２の係合部１３７ａが係合し、その係合が外れていたが、このような構成に限定される必要はない。
【０２３４】
したがって、フロアパネル１３８の係合部１３８ｅのみが弾性変形することにより、フロアパネル１３８の係合部１３８ｅと、支持台１３２の係合部１３７ａが係合し、その係合が外れるように構成されていてもよいし、フロアパネル１３８の係合部１３８ｅと、支持台１３２の可動部１３７の両方が弾性変形することにより、フロアパネル１３８の係合部１３８ｅと、支持台１３２の係合部１３７ａが係合し、その係合が外れるように構成されていてもよい
【０２３５】
また、前記第８の実施の形態に係るフリーアクセスフロア１５０においては、支持台１５２の可動部１５７が弾性変形することにより、フロアパネル１５８の係合部１５８ｅと、支持台１５２の係合部１５７ａが係合し、その係合が外れていた（図８２参照）が、このような構成に限定される必要はない。
【０２３６】
したがって、フロアパネル１５８の係合部１５８ｅのみが弾性変形することにより、フロアパネル１５８の係合部１５８ｅと、支持台１５２の係合部１５７ａが係合し、その係合が外れるように構成されていてもよいし、フロアパネル１５８の係合部１５８ｅと、支持台１５２の可動部１５７の両方が弾性変形することにより、フロアパネル１５８の係合部１５８ｅと、支持台１５２の係合部１５７ａが係合し、その係合が外れるように構成されていてもよい
【符号の説明】
【０２３７】
２  フリーアクセスフロア
４  パネルユニット
６  基礎床面
８  フロアパネル
８ａ  上面
８ｂ  天板部
８ｃ  側板部
８ｄ  長溝部
８ｅ  開口部
９  フロアパネル
１０  支持台ユニット
１２  支持台
１２ａ  上端面
１２ｂ  溝部
１４  支持部
１６  連結部
２０  フリーアクセスフロア
２２  支持台
２２ａ  本体胴部
２２ｂ  溝部
２２ｃ  水平面
２３  中央支持部
２３ａ  上板部
２３ｂ  脚部
２３ｅ  端面
２３ｆ  球状突起
２４  突出部
２４ａ  弧状板部
２４ｂ  脚部
２４ｃ  押当部
２４ｄ  凹部
２４ｅ  上端部
２５  突出部
２５ａ  上面
２６  外周縁支持部
２６ａ  上面
２８  フロアパネル
２８ａ  上面
２８ｂ  天板部
２８ｃ  側板部
２８ｄ  開口部
２８ｅ  凸部
３０  棒状部材
４０  フリーアクセスフロア
４２  支持台
４２ｂ  溝部
４３  中央支持部
４３ｂ  脚部
４３ｅ  端面
４４  突出部
４４ａ  弧状板部
４４ｂ  脚部
４４ｃ  押当部
４４ｅ  球状凸部
４５  突出部
４６  外周縁支持部
４８  フロアパネル
４８ａ  上面
４８ｂ  天板部
４８ｃ  側板部
４８ｄ  貫通孔
４８ｇ  貫通孔
６０  フリーアクセスフロア
６２  支持台
６２ｂ  溝部
６８  弾性部材
６８ａ  折曲部
８０  フリーアクセスフロア
８２  支持台
８３  中央支持部
８３ａ  上板部
８６  外周縁支持部
８６ａ  上面
１０２  支持台
１０３  中央支持部
１０４  突出部
１０６  外周縁支持部
１１０  フリーアクセスフロア
１１２  支持台
１１２ａ  本体胴部
１１２ｂ  開口部
１１２ｃ  水平面
１１２ｄ  傾斜面
１１２ｅ  溝部
１１２ｆ  面
１１２ｇ  基礎板部
１１５  突出部
１１６  支持部
１１６ａ  上面
１１６ｃ  貫通孔
１１６ｐ  縁部
１１７  可動部
１１７ａ  係合部
１１７ｂ  傾斜部
１１７ｃ  傾斜部
１１７ｄ  下面
１１７ｅ  脚部
１１８  フロアパネル
１１８ａ  上面
１１８ｂ  天板部
１１８ｃ  側板部
１１８ｄ  貫通孔
１１８ｅ  係合部
１１８ｆ  縁部
１１８ｇ  傾斜部
１１８ｈ  平板部
１１９  押上部
１１９ａ  凸部
１１９ｂ  Ｕ字状部
１１９ｃ  平板部
１２０  人の指
１３０  フリーアクセスフロア
１３２  支持台
１３２ａ  開口部
１３２ｂ  本体胴部
１３２ｃ  水平面
１３２ｅ  溝部
１３２ｇ  基礎板部
１３５  突出部
１３６  支持部
１３６ｂ  上面
１３７  可動部
１３７ａ  係合部
１３７ｂ  押上部
１３７ｃ  補強リブ
１３７ｄ  脚部
１３７ｅ  上端箱部
１３７ｆ  外周板部
１３７ｇ  底板部
１３７ｈ  側板部
１３７ｉ  上面
１３７ｊ  傾斜面
１３７ｋ  下面
１３８  フロアパネル
１３８ａ  上面
１３８ｂ  天板部
１３８ｃ  側板部
１３８ｄ  貫通孔
１３８ｅ  係合部
１３８ｆ  受板部
１３８ｇ  平板部
１３８ｈ  傾斜部
１３８ｉ  縁部
１３８ｊ  平板部
１３８ｋ  傾斜部
１３８ｌ  段差
１３９  内部空間
１４０  棒状部材
１５０  フリーアクセスフロア
１５２  支持台
１５２ａ  本体胴部
１５２ｂ  開口部
１５６  支持部
１５７  可動部
１５７ａ  係合部
１５７ｒ  傾斜面
１５８  フロアパネル
１５８ａ  上面
１５８ｂ  天板部
１５８ｃ  側板部
１５８ｄ  貫通孔
１５８ｅ  係合部
１５８ｈ  平板部
１５８ｐ  傾斜面
１５８ｑ  垂直面
Ｌ１  短辺
Ｌ２  長辺
【図１】
0006580404.tif 000002
【図２】
0006580404.tif 000003
【図３】
0006580404.tif 000004
【図４】
0006580404.tif 000005
【図５】
0006580404.tif 000006
【図６】
0006580404.tif 000007
【図７】
0006580404.tif 000008
【図８】
0006580404.tif 000009
【図９】
0006580404.tif 000010
【図１０】
0006580404.tif 000011
【図１１】
0006580404.tif 000012
【図１２】
0006580404.tif 000013
【図１３】
0006580404.tif 000014
【図１４】
0006580404.tif 000015
【図１５】
0006580404.tif 000016
【図１６】
0006580404.tif 000017
【図１７】
0006580404.tif 000018
【図１８】
0006580404.tif 000019
【図１９】
0006580404.tif 000020
【図２０】
0006580404.tif 000021
【図２１】
0006580404.tif 000022
【図２２】
0006580404.tif 000023
【図２３】
0006580404.tif 000024
【図２４】
0006580404.tif 000025
【図２５】
0006580404.tif 000026
【図２６】
0006580404.tif 000027
【図２７】
0006580404.tif 000028
【図２８】
0006580404.tif 000029
【図２９】
0006580404.tif 000030
【図３０】
0006580404.tif 000031
【図３１】
0006580404.tif 000032
【図３２】
0006580404.tif 000033
【図３３】
0006580404.tif 000034
【図３４】
0006580404.tif 000035
【図３５】
0006580404.tif 000036
【図３６】
0006580404.tif 000037
【図３７】
0006580404.tif 000038
【図３８】
0006580404.tif 000039
【図３９】
0006580404.tif 000040
【図４０】
0006580404.tif 000041
【図４１】
0006580404.tif 000042
【図４２】
0006580404.tif 000043
【図４３】
0006580404.tif 000044
【図４４】
0006580404.tif 000045
【図４５】
0006580404.tif 000046
【図４６】
0006580404.tif 000047
【図４７】
0006580404.tif 000048
【図４８】
0006580404.tif 000049
【図４９】
0006580404.tif 000050
【図５０】
0006580404.tif 000051
【図５１】
0006580404.tif 000052
【図５２】
0006580404.tif 000053
【図５３】
0006580404.tif 000054
【図５４】
0006580404.tif 000055
【図５５】
0006580404.tif 000056
【図５６】
0006580404.tif 000057
【図５７】
0006580404.tif 000058
【図５８】
0006580404.tif 000059
【図５９】
0006580404.tif 000060
【図６０】
0006580404.tif 000061
【図６１】
0006580404.tif 000062
【図６２】
0006580404.tif 000063
【図６３】
0006580404.tif 000064
【図６４】
0006580404.tif 000065
【図６５】
0006580404.tif 000066
【図６６】
0006580404.tif 000067
【図６７】
0006580404.tif 000068
【図６８】
0006580404.tif 000069
【図６９】
0006580404.tif 000070
【図７０】
0006580404.tif 000071
【図７１】
0006580404.tif 000072
【図７２】
0006580404.tif 000073
【図７３】
0006580404.tif 000074
【図７４】
0006580404.tif 000075
【図７５】
0006580404.tif 000076
【図７６】
0006580404.tif 000077
【図７７】
0006580404.tif 000078
【図７８】
0006580404.tif 000079
【図７９】
0006580404.tif 000080
【図８０】
0006580404.tif 000081
【図８１】
0006580404.tif 000082
【図８２】
0006580404.tif 000083
【図８３】
0006580404.tif 000084
【図８４】
0006580404.tif 000085
【図８５】
0006580404.tif 000086
【図８６】
0006580404.tif 000087
【図８７】
0006580404.tif 000088
【図８８】
0006580404.tif 000089
【図８９】
0006580404.tif 000090
【図９０】
0006580404.tif 000091
【図９１】
0006580404.tif 000092